(57)【要約】  本技術は、より安全に自動運転を行うことができるようにする車両制御装置及び車両制御方法に関する。車両制御装置は、運転者が車両の運転に介在している度合いを示す運転介在レベルを検出する運転者監視部と、前記運転介在レベルが不足している場合、前記運転者の不利益となるペナルティを適用するペナルティ適用部とを備える。本技術は、例えば、自動運転の制御を行う車両制御装置に適用できる。
2018135318.tif 000002
【特許請求の範囲】
【請求項１】
運転者が車両の運転に介在している度合いを示す運転介在レベルを検出する運転者監視部と、
前記運転介在レベルが不足している場合、前記運転者の不利益となるペナルティを適用するペナルティ適用部と
を備える車両制御装置。
【請求項２】
前記ペナルティ適用部は、自動運転のレベルが、前記運転者が運転に介在しないレベルから介在するレベルに遷移する場合に、前記運転介在レベルが不足しているとき、前記ペナルティを適用する
請求項１に記載の車両制御装置。
【請求項３】
前記ペナルティを適用した後、前記運転介在レベルの不足が解消された場合、前記運転者が与えられた指示に適切に対応するまで、運転操作の制限を行う運転支援制御部を
さらに備える請求項２に記載の車両制御装置。
【請求項４】
前記ペナルティ適用部は、前記ペナルティを適用する前に前記運転者の注意を喚起する処理が行われた後も前記運転介在レベルが不足している場合、前記ペナルティを適用する
請求項１に記載の車両制御装置。
【請求項５】
前記ペナルティ適用部は、前記運転介在レベルが不足している状態の発生回数及び発生頻度のうち少なくとも１つに基づいて、前記ペナルティを適用する
請求項１に記載の車両制御装置。
【請求項６】
前記ペナルティ適用部は、前記ペナルティの適用が繰り返される場合、適用する前記ペナルティを変更する
請求項１に記載の車両制御装置。
【請求項７】
前記ペナルティは、前記運転者に不快感を与えたり、前記運転者の利便性を低下させたりするものである
請求項１に記載の車両制御装置。
【請求項８】
前記ペナルティは、運転席の背もたれを座面に対して垂直な方向に近づけることを含む
請求項７に記載の車両制御装置。
【請求項９】
前記ペナルティは、前記車両の上限速度を制限することを含む
請求項７に記載の車両制御装置。
【請求項１０】
前記ペナルティは、前記車両の自動運転の機能を制限することを含む
請求項７に記載の車両制御装置。
【請求項１１】
前記ペナルティは、前記運転者による運転の介在が必要なルートを通るように走行ルートを変更することを含む
請求項７に記載の車両制御装置。
【請求項１２】
前記ペナルティ適用部は、前記車両が目的地に到着した後、又は、前記車両が強制停車された後、前記ペナルティを適用する
請求項１に記載の車両制御装置。
【請求項１３】
前記ペナルティ適用部は、前記車両の発進を所定の期間禁止する
請求項１２に記載の車両制御装置。
【請求項１４】
前記ペナルティ適用部は、前記車両が目的地に到着した後、又は、前記車両が強制停車された後に適用する前記ペナルティに関する情報をログに記録させる
請求項１２に記載の車両制御装置。
【請求項１５】
前記運転者監視部は、自動運転のレベルにより異なる条件に基づいて、前記運転介在レベルが不足しているか否かを判定する
請求項１に記載の車両制御装置。
【請求項１６】
前記ペナルティ適用部は、前記運転介在レベルの不足が解消した場合、前記ペナルティの適用を停止する
請求項１に記載の車両制御装置。
【請求項１７】
前記運転者の反応性及び覚醒度のうち少なくとも１つを検出する運転者状態検出部を
さらに備え、
前記運転者監視部は、前記運転者の反応性及び覚醒度のうち少なくとも１つを用いて、前記運転介在レベルを検出する
請求項１に記載の車両制御装置。
【請求項１８】
前記運転者状態検出部は、前記運転者に与えた刺激又は指示に対する前記運転者の反応に基づいて、前記運転者の反応性及び覚醒度のうち少なくとも１つを検出する
請求項１７に記載の車両制御装置。
【請求項１９】
前記運転者状態検出部は、前記運転者が使用している情報処理装置を介して指示を与える
請求項１８に記載の車両制御装置。
【請求項２０】
運転者が車両の運転に介在しているレベルを示す運転介在レベルを検出する運転者監視ステップと、
前記運転介在レベルが不足している場合、前記運転者の不利益となるペナルティを適用するペナルティ適用ステップと
を含む車両制御方法。
【発明の詳細な説明】
【技術分野】
【０００１】
本技術は、車両制御装置及び車両制御方法に関し、特に、より安全に自動運転を行うことができるようにした車両制御装置及び車両制御方法に関する。
【背景技術】
【０００２】
従来、運転者の姿勢崩れが運転者の癖によるものか否かを判定し、癖による姿勢崩れと判定された場合と癖以外の姿勢崩れと判定された場合とで、異なる態様により運転者に姿勢崩れに関する通知を行うことが提案されている（例えば、特許文献１参照）。【０００３】
また、従来、車両の自動運転走行を開始する前に、自動運転からマニュアル運転に復帰することができる運転能力が運転者にないと判断された場合に、自動運転走行を禁止することが提案されている（例えば、特許文献２参照）。
【先行技術文献】
【特許文献】
【０００４】
【特許文献１】特開２０１６−３８７９３号公報
【特許文献２】特開２０１６−１１５３５６号公報
【発明の概要】
【発明が解決しようとする課題】
【０００５】
ところで、自動運転の普及に際し、運転者が自動運転に依存してしまうリスクが懸念されている。運転者が自動運転に依存してしまうと、例えば、自動運転による正常な走行ができなくなった場合に、運転者が迅速に運転に介在することができず、事故が発生するリスクが高くなる。【０００６】
しかしながら、特許文献１及び特許文献２にでは、運転者が自動運転に依存することを防止することは検討されていない。【０００７】
本技術は、このような状況に鑑みてなされたものであり、より安全に自動運転を行うことができるようにするものである。
【課題を解決するための手段】
【０００８】
本技術の一側面の車両制御装置は、運転者が車両の運転に介在している度合いを示す運転介在レベルを検出する運転者監視部と、前記運転介在レベルが不足している場合、前記運転者の不利益となるペナルティを適用するペナルティ適用部とを備える。【０００９】
前記ペナルティ適用部には、自動運転のレベルが、前記運転者が運転に介在しないレベルから介在するレベルに遷移する場合に、前記運転介在レベルが不足しているとき、前記ペナルティを適用させることができる。【００１０】
前記ペナルティを適用した後、前記運転介在レベルの不足が解消された場合、前記運転者が与えられた指示に適切に対応するまで、運転操作の制限を行う運転支援制御部をさらに設けることができる。【００１１】
前記ペナルティ適用部には、前記ペナルティを適用する前に前記運転者の注意を喚起する処理が行われた後も前記運転介在レベルが不足している場合、前記ペナルティを適用させることができる。【００１２】
前記ペナルティ適用部には、前記運転介在レベルが不足している状態の発生回数及び発生頻度のうち少なくとも１つに基づいて、前記ペナルティを適用させることができる。【００１３】
前記ペナルティ適用部には、前記ペナルティの適用が繰り返される場合、適用する前記ペナルティを変更させることができる。【００１４】
前記ペナルティは、前記運転者に不快感を与えたり、前記運転者の利便性を低下させたりするものとすることができる。【００１５】
前記ペナルティには、運転席の背もたれを座面に対して垂直な方向に近づけることを含ませることができる。【００１６】
前記ペナルティには、前記車両の上限速度を制限することを含ませることができる。【００１７】
前記ペナルティには、前記車両の自動運転の機能を制限することを含ませることができる。【００１８】
前記ペナルティには、前記運転者による運転の介在が必要なルートを通るように走行ルートを変更することを含ませることができる。【００１９】
前記ペナルティ適用部には、前記車両が目的地に到着した後、又は、前記車両が強制停車された後、前記ペナルティを適用させることができる。【００２０】
前記ペナルティ適用部には、前記車両の発進を所定の期間禁止させることができる。【００２１】
前記ペナルティ適用部には、前記車両が目的地に到着した後、又は、前記車両が強制停車された後に適用する前記ペナルティに関する情報をログに記録させることができる。【００２２】
前記運転者監視部には、自動運転のレベルにより異なる条件に基づいて、前記運転介在レベルが不足しているか否かを判定させることができる。【００２３】
前記ペナルティ適用部には、前記運転介在レベルの不足が解消した場合、前記ペナルティの適用を停止させることができる。【００２４】
前記運転者の反応性及び覚醒度のうち少なくとも１つを検出する運転者状態検出部をさらに設け、前記運転者監視部には、前記運転者の反応性及び覚醒度のうち少なくとも１つを用いて、前記運転介在レベルを検出させることできる。【００２５】
前記運転者状態検出部には、前記運転者に与えた刺激又は指示に対する前記運転者の反応に基づいて、前記運転者の反応性及び覚醒度のうち少なくとも１つを検出させることができる。【００２６】
前記運転者状態検出部には、前記運転者が使用している情報処理装置を介して指示を与えさせることができる。【００２７】
本技術の一側面の車両制御方法は、運転者が車両の運転に介在しているレベルを示す運転介在レベルを検出する運転者監視ステップと、前記運転介在レベルが不足している場合、前記運転者の不利益となるペナルティを適用するペナルティ適用ステップとを含む。【００２８】
本技術の一側面においては、運転者が車両の運転に介在しているレベルを示す運転介在レベルが検出され、前記運転介在レベルが不足している場合、前記運転者の不利益となるペナルティが適用される。
【発明の効果】
【００２９】
本技術の一側面によれば、運転者の運転介在レベルが矯正される。その結果、より安全に自動運転を行うことができる。【００３０】
なお、ここに記載された効果は必ずしも限定されるものではなく、本開示中に記載された何れかの効果であってもよい。
【図面の簡単な説明】
【００３１】
【図１】本技術を適用した自動運転システムの構成例を示すブロック図である。
【図２】運転者監視部及び車両制御部の構成例を示すブロック図である。
【図３】車両制御システムの一部の設置例を示す図である。
【図４】自動化レベルを説明するための図である。
【図５】自動運転制御処理を説明するためのフローチャートである。
【図６】自動運転制御処理を説明するためのフローチャートである。
【図７】許容自動化レベルの分布の具体例を示す図である。
【図８】運転介在レベル矯正処理の詳細を説明するためのフローチャートである。
【図９】マニュアル運転復帰支援処理の詳細を説明するためのフローチャートである。
【図１０】ログの具体例を示す図である。
【図１１】自動運転使用制限処理を説明するためのフローチャートである。
【図１２】コンピュータの構成例を示す図である。
【発明を実施するための形態】
【００３２】
以下、発明を実施するための形態（以下、「実施形態」と記述する）について図面を用いて詳細に説明する。なお、説明は以下の順序で行う。
１．実施形態
２．変形例
３．その他
【００３３】
＜＜１．実施形態＞＞
＜自動運転システムの構成例＞
図１は、本技術を適用した自動運転システム１０の構成例を示している。
【００３４】
自動運転システム１０は、車両制御システム１１及び携帯端末１２を備える。
【００３５】
車両制御システム１１は、周辺撮影部２１、周辺情報取得部２２、位置測定部２３、入力部２４、車両情報取得部２５、運転者監視部２６、通信部２７、車両制御部２８、表示部２９、音声出力部３０、発光部３１、臭い発生部３２、走行制御部３３、車載装置制御部３４、及び、記憶部３５を備える。
【００３６】
周辺撮影部２１は、例えば、モノカメラ、ステレオカメラ、Ｔｏｆ（Time of Flight）カメラ、偏光カメラ、タイムゲーテッドカメラ、マルチスペクトルカメラ、赤外光などの非可視光カメラ等の各種の撮影装置を備え、車両の進行方向を含む車両の周辺の撮影を行う。周辺撮影部２１は、撮影により得られた画像（以下、周辺画像と称する）を車両制御部２８に供給する。
【００３７】
周辺情報取得部２２は、ソナー、レーダ、ライダ、温度センサ、湿度センサ等の各種のセンサを備え、車両の周辺の情報を取得する。例えば、周辺情報取得部２２は、温度、湿度、天候、路面状態等の車両の周辺の環境に関する情報、並びに、車両の周辺の物体の種類及び位置等の車両の周辺の物体に関する情報等を取得する。周辺情報取得部２２は、取得した周辺情報を車両制御部２８に供給する。
【００３８】
位置測定部２３は、例えば、人工衛星を利用して現在位置を測定するＧＮＳＳ（Global Navigation Satellite System）等の衛星航法システムを利用して、車両の現在位置を測定する。位置測定部２３は、測定結果を車両制御部２８に供給する。
【００３９】
入力部２４は、マイクロフォン、ボタン、スイッチ、タッチパネル、ジェスチャー認識機器等の入力デバイスを備え、運転者を含む車両の搭乗者の指示やデータ等の入力を受け付ける。入力部２４は、入力された指示やデータ等を車両制御部２８に供給する。
【００４０】
車両情報取得部２５は、車両に関する各種の情報を含む車両情報を取得する。例えば、車両情報取得部２５は、車両の速度、加速度、角速度、進行方向等の車両の動きに関する情報を取得する。また、車両情報取得部２５は、例えば、アクセルペダル、ブレーキペダル、ステアリングホイール、パーキングブレーキ、シフトレバー、方向指示レバー、パワー（イグニッション）スイッチ、ランプスイッチ、ワイパースイッチ等に対する操作タイミング及び操作量等の運転操作に関する情報を取得する。さらに、車両情報取得部２５は、車両の各部の状態、故障の有無等の車両の状態に関する情報を取得する。車両情報取得部２５は、取得した車両情報を車両制御部２８に供給する。
【００４１】
運転者監視部２６は、図２を参照して後述するように、運転者の監視を行い、監視結果を車両制御部２８に供給する。
【００４２】
通信部２７は、各種の通信方式の通信装置を備える。
【００４３】
例えば、通信部２７は、ＤＳＲＣ（Dedicated Short Range Communications）により無線通信を行う通信装置を備え、道路沿いに設置されたＩＴＳ（Intelligent Transport Systems）スポットと通信を行い、ＬＤＭ（Local Dynamic Map）を取得する。ＬＤＭは、例えば、路面情報、車線情報、3次元構造物情報等を含む静的情報、交通規制情報、道路工事情報、広域気象情報等を含む準静的情報、事故情報、渋滞情報、狭域気象情報等を含む準動的情報、並びに、周辺車両及び歩行者情報、信号情報等を含む動的情報を含む。
【００４４】
例えば、通信部２７は、携帯電話機が通信を行う通信規格（３Ｇ／４Ｇ／ＬＴＥ（Long Term Evolution）等）に従って通信を行う通信装置を備え、インターネットなどのネットワークを経由して、サーバ等から地図データ等の各種の情報を取得する。
【００４５】
例えば、通信部２７は、ビーコン装置を備え、安全運転を支援するために路側に設置された路側機との通信を行い、各種の交通情報を取得する。
【００４６】
例えば、通信部２７は、Bluetooth（登録商標）等の近距離無線通信装置を備え、携帯端末１２等との通信を行い、各種の情報の送受信を行う。
【００４７】
通信部２７は、取得した情報を車両制御部２８に供給する。また、通信部２７は、他の通信装置等に送信する情報を車両制御部２８から取得する。
【００４８】
車両制御部２８は、ＥＣＵ（Electronic Control Unit）等を備え、図２を参照して後述するように、車両制御システム１１の各部の制御を行う。
【００４９】
表示部２９は、例えば、各種の表示装置を備え、車両制御部２８の制御の下に、各種の画像や情報の表示を行う。例えば、表示部２９は、ヘッドアップディスプレイ又はウインドシールドの一部に設けられた透過型ディスプレイを備え、運転者の視界に画像や情報を重畳して表示する。また、例えば、表示部２９は、インストルメントパネル、カーナビゲーションシステムのディスプレイ等を備える。
【００５０】
音声出力部３０は、例えば、スピーカ、アラーム、ブザー等を備え、車両制御部２８の制御の下に、音声情報や警告音等の出力を行う。
【００５１】
発光部３１は、例えば、ＬＥＤ（Light Emitting Diode）、ランプ等の発光装置を備え、車両制御部２８の制御の下に、運転者への各種の情報の通知や注意喚起等を目的とする光の点灯又は点滅を行う。
【００５２】
臭い発生部３２は、例えば、悪臭を発生する発生器、及び、消臭を行う消臭器を備え、車両制御部２８の制御の下に、臭いを発生したり、発生した臭いを消臭したりする。なお、消臭器は必ずしも必要ではなく、悪臭が空気中に拡散した後に自己中和等で消臭されることにより、悪臭の発生が一過性となるようにしてもよい。
【００５３】
走行制御部３３は、車両制御部２８の制御の下に、車両に搭載されている各種の装置のうち車両の走行に関わる装置の制御を行う。例えば、走行制御部３３は、エンジンの作動を制御するエンジン制御装置、モータの作動を制御するモータ制御装置、ブレーキの作動を制御するブレーキ制御装置、ステアリングの作動を制御するステアリング制御装置等を備える。
【００５４】
車載装置制御部３４は、車両に搭載されている各種の装置のうち車両の走行に関わる装置以外の装置の制御を行う。例えば、車載装置制御部３４は、シートの傾きを制御するアクチュエータ、シートを振動させるアクチュエータ、ステアリングホイールを振動させるアクチュエータ等の制御を行う。
【００５５】
記憶部３５は、車両制御システム１１の処理に必要なプログラムやデータを記憶する。例えば、記憶部３５は、車両の走行等に関するログ、運転者の認証に用いる顔画像や認識識別抽出情報、運転者の各種の特徴の学習結果等を記憶する。なお、必ずしも全ての情報を記憶部３５に記憶させる必要はなく、例えば、通信部２７を介して遠隔のサーバ等に情報を送信して記憶させるようにしてもよい。
【００５６】
＜運転者監視部２６及び車両制御部２８の構成例＞
図２は、車両制御システム１１の運転者監視部２６及び車両制御部２８の構成例を示している。
【００５７】
運転者監視部２６は、運転者撮影部１０１、生体情報取得部１０２、視線検出部１０３、及び、認証部１０４を備える。
【００５８】
運転者撮影部１０１は、撮影装置を備え、運転者の撮影を行う。運転者撮影部１０１の撮影範囲は、少なくとも運転中の運転者の首から上の部分を含み、それより広い範囲を含んでいてもよい。運転者撮影部１０１は、撮影により得られた画像（以下、運転者画像と称する）を車両制御部２８に供給する。なお、運転者の撮影を行う際、より正確でかつ固有の情報を取得するために、例えば、Structured Lightを発する光源や赤外光を含む特定の波長の光源など専用の光源により運転者を照らすようにしてもよい。
【００５９】
生体情報取得部１０２は、運転者の各種の生体情報を検出するセンサ等を備える。生体情報取得部１０２が取得する生体情報には、例えば、脈拍、心電図、体温、体臭、皮膚温、呼吸状態、アルコール含有量等が含まれる。生体情報取得部１０２は、取得した運転者の生体情報を車両制御部２８に供給する。
【００６０】
視線検出部１０３は、運転者画像に基づいて、運転者の顔の向き、視線の向き、瞬き、眼球の動き（例えば、固視、サッカード等）の検出を行う。視線検出部１０３は、さらに視線の動的解析から運転者の外界への注意度評価や覚醒度解析を行い、検出結果や解析結果を車両制御部２８に供給する。
【００６１】
認証部１０４は、例えば、運転者画像や視線解析画像から虹彩認証や指紋、さらには脈波に含まれる個人固有脈波波形に基づいて、運転者の認証を行う。認証部１４は、認証結果を車両制御部２８に供給する。
【００６２】
車両制御部２８は、周辺監視部１２１、運転者監視部１２２、自動運転制御部１２３、通知制御部１２４、ペナルティ適用部１２５、ログ生成部１２６、及び、学習部１２７を備える。
【００６３】
周辺監視部１２１は、周辺撮影部２１からの周辺画像、周辺情報取得部２２からの周辺情報、及び、通信部２７からの各種の情報に基づいて、車両の周辺の監視を行う。
【００６４】
運転者監視部１２２は、車両情報取得部２５からの車両情報、運転者撮影部１０１からの運転者画像、生体情報取得部１０２からの運転者の生体情報、視線検出部１０３による検出結果、認証部１０４による認証結果、及び、学習部１２７による学習結果等に基づいて、運転者の監視を行う。運転者監視部１２２は、運転挙動分析部１４１、運転者状態検出部１４２、及び、運転介在レベル検出部１４３を備える。
【００６５】
運転挙動分析部１４１は、運転者画像、車両情報、及び、学習部１２７による学習結果等に基づいて、運転者の運転挙動（例えば、運転に対する操作や振る舞いなど認証した運転者固有の特徴や特性）を分析する。
【００６６】
運転者状態検出部１４２は、運転者画像、運転者の生体情報、視線検出部１０３による検出結果、認証部１０４による認証結果、及び、学習部１２７による学習結果等に基づいて、認証した固有運転者の状態の検出を行う。
【００６７】
運転介在レベル検出部１４３は、運転者の運転挙動の分析結果、運転者の状態の検出結果、及び、自動化レベル設定部１５２により設定される自動化レベルに基づいて、運転者が運転に介在している度合いを示す運転介在レベルの検出を行う。
【００６８】
自動運転制御部１２３は、自動運転の制御を行う。自動運転制御部１２３は、ルート設定部１５１、自動化レベル設定部１５２、及び、運転支援制御部１５３を備える。
【００６９】
ルート設定部１５１は、車両情報取得部２５の車両情報に含まれる車両の加速度及び角速度に基づいて、位置測定部２３により測定された車両の現在位置の補正を行う。また、ルート設定部１５１は、周辺情報取得部２２からの周辺情報、通信部２７を介して取得するＬＤＭ及び地図データや地図更新情報、並びに、記憶部３５に記憶されている地図データ等に基づいて、入力部２４を介して入力される目的地までの走行ルートを設定する。
【００７０】
自動化レベル設定部１５２は、周辺情報取得部２２からの周辺情報、並びに、通信部２７を介して取得するＬＤＭ及び交通情報等に基づいて、走行ルート上の自動化レベルの分布を設定する。また、自動化レベル設定部１５２は、自動化レベルの分布、入力部２４を介して入力されるユーザ設定、及び、ペナルティ適用部１２５からの指示等に基づいて、自動化レベルの設定を行う。
【００７１】
ここで、自動化レベルとは、自動運転のレベル、換言すれば、運転の自動化の程度を示すものであり、詳細は、図４を参照して後述する。
【００７２】
運転支援制御部１５３は、設定されている自動化レベルに応じて、走行制御部３３を制御して、運転者の運転の支援を行うことにより、自動運転を実現する。例えば、運転支援制御部１５３は、ＡＣＣ（Adaptive Cruise Control）、ＬＫＡＳ（Lane Keep Assist System）、ＴＪＡ（Traffic Jam Assist）、ＡＥＢＳ（Advanced Emergency Braking System）等の運転支援を行う。さらに、運転支援制御部１５３は、自動化レベル３（後述）以上の走行区間において、例えば、上記の運転支援よりさらに高度かつ複雑な制御（例えば、車線変更を含む追い越し等）や、市街地等での歩行者や自転車を含む高度な状況判断を伴う自律走行等による運転支援を行ってもよい。
【００７３】
通知制御部１２４は、表示部２９、音声出力部３０、及び、発光部３１を制御して、運転者への各種の情報の通知や注意喚起等を行う。また、通知制御部１２４は、例えば、車載装置制御部３４より制御されるアクチュエータ等を用いて、運転者への各種の情報の通知や注意喚起等を行ってもよい。
【００７４】
ペナルティ適用部１２５は、運転介在レベルの検出結果に基づいて、表示部２９、音声出力部３０、発光部３１、臭い発生部３２、走行制御部３３、及び、車載装置制御部３４を制御して、必要に応じて運転者へのペナルティを適用する。また、ペナルティ適用部１２５は、ログ生成部１２６を制御して、ペナルティを適用するための情報をログに記録させる。
【００７５】
ここで、ペナルティとは、例えば、運転者の運転介在レベルを矯正するために、運転に支障が及ばない範囲で、運転者に不利益を与えるものである。運転者に不利益を与える方法しては、例えば、運転者に不快感を与えたり、運転者の利便性を低下させたりすることが挙げられる。
【００７６】
ログ生成部１２６は、車両において発生した各種のイベントを記録するログの生成及び更新を行う。ログ生成部１２６は、生成又は更新したログを記憶部３５に記憶させる。
【００７７】
＜車両制御システム１１の一部の設置例＞
図３は、車両制御システム１１の一部の設置例を示している。
【００７８】
運転者監視部２６は、例えば、ステアリングホイール１７１の前方のダッシュボード付近に設けられている。
【００７９】
臭い発生部３２は、例えば、ダッシュボードに設けられている空調機内に設けられている。
【００８０】
ステアリングホイール１７１内には、車載装置制御部３４の制御の下に、ステアリングホイール１７１を振動させるためのアクチュエータが設けられている。
【００８１】
運転席のシート１７２内には、車載装置制御部３４の制御の下に、シート１７２を振動させるためのアクチュエータが設けられている。
【００８２】
＜自動化レベルの例＞
図４は、自動化レベルの例を示している。ここでは、ＳＡＥ（Society of Automotive Engineers）により定義された自動化レベルの例を示している。
【００８３】
自動化レベルは、レベル０からレベル５までの６段階に分かれる。
【００８４】
自動化レベル０は、”運転自動化なし”と称される。自動化レベル０では、運転者が全ての運転タスクを実施する。
【００８５】
自動化レベル１は、”運転者支援”と称される。自動化レベル１では、自動運転を行うシステム（以下、単にシステムと称する）が前後及び左右のいずれかの車両制御に係る運転タスクのサブタスクを実施する。
【００８６】
自動化レベル２は、”部分運転自動化”と称される。自動化レベル２では、システムが前後及び左右の両方の車両制御に係る運転タスクのサブタスクを実施する。
【００８７】
自動化レベル３は、”条件付運転自動化”と称される。自動化レベル３では、システムが限られた領域内で全ての運転タスクを実施する。従って、運転者は、車両の走行中に、運転以外の作業や行動、例えば、携帯端末１２の操作、電話会議、ビデオ鑑賞、ゲーム、思考、他の搭乗者との会話等を行うことができる。ただし、システムの障害や走行環境の悪化等による予備対応時（フォールバック中）に、システムの要求等に対して、運転者が運転操作を行う等の対応を適切に行うことが期待される。
【００８８】
自動化レベル４は、”高度運転自動化”と称される。自動化レベル４では、システムが限られた領域内で全ての運転タスクを実施する。また、予備対応時（フォールバック中）に、運転者が運転操作を行う等の対応を行うことは期待されない。従って、運転者は、例えば、車両の走行中に、仮眠をとることも可能である。
【００８９】
自動化レベル５は、”完全運転自動化”と称される。自動化レベル５では、システムが全ての領域内で全ての運転タスクを実施する。また、予備対応時（フォールバック中）に、運転者が運転操作を行う等の対処を行うことは期待されない。さらに、自動化レベル５では、走行中に車両内に運転者が常に不在である場合も想定されるため、全行程で運転者による運転が期待できない。そのため、フォールバックは許されず、例えば、システムが全ての異常に対処できるようにするか、想定外の事態を生じさせないルート完備が必要となる。
【００９０】
従って、自動化レベル０乃至自動化レベル２では、運転者が全て或いは一部の運転タスクを実施し、安全運転に係る監視、対応主体は運転者となる。この３つの自動化レベルでは、運転者は必要に応じて常に運転に復帰できる能力が求められる。従って、走行時の注意低下や前方注意を損なう、運転以外の２次タスクに運転者が従事することは、許容されていない。
【００９１】
一方、自動化レベル３乃至自動化レベル５では、システムが全ての運転タスクを実施し、安全運転に係る監視、対応主体はシステムとなる。ただし、自動化レベル３では、運転者が運転操作を行う必要が生じる場合がある。また、走行ルートの一部に自動化レベル３及び自動化レベル４を適用できない区間が存在する場合があり、そのような区間では、自動化レベル２以下に設定され、運転者が運転に介在する必要がある。
【００９２】
なお、以下、運転者が何らかの形で介在して直接的に車両の運転へ影響を及ぼす必要がある運転をマニュアル運転と称する。従って、自動化レベル０乃至自動化レベル２では、マニュアル運転が行われる。
【００９３】
一方、以下、運転者の介在を全く必要としない運転を自律自動運転と称する。従って、自動化レベル３乃至自動化レベル５では、基本的に自律自動運転が行われる。ただし、自動化レベル３では、システムの要求に応じて、マニュアル運転を行う必要が生じる場合がある。すなわち、自動化レベル３では、運転者の運転操作の離脱が限定的である必要がある。
【００９４】
なお、運転者が、必要な区間において、マニュアル運転に安全かつスムーズに復帰できるようにすることで、自律自動運転が可能な区間とマニュアル運転が必要な区間が混在したルートを延長することができる。また、運転者の運転操作への介在からの完全な離脱を防ぎ、マニュアル運転に安全かつスムーズに復帰できるようにすることで、走行ルートの主要な区間における自律自動運転の実施が可能になる。
【００９５】
＜自動運転制御処理＞
次に、図５及び図６のフローチャートを参照して、車両制御システム１１により実行される自動運転制御処理について説明する。なお、この処理は、例えば、車両のパワー（イグニッション）スイッチがオンされたとき開始される。
【００９６】
ステップＳ１において、運転者監視部２６は、運転者の認証を行う。具体的には、運転者監視部２６の運転者撮影部１０１は、運転者を撮影する。認証部１０４は、撮影により得られた運転者画像中の運転者の顔を認識する。そして、例えば、認証部１０４は、記憶部３５に記憶されている１人以上のユーザの顔画像の中から運転者の顔と一致する顔画像を検索することにより、運転者を特定する。認証部１０４は、運転者を特定できた場合、認証に成功したと判定し、運転者を特定できなかった場合、認証に失敗したと判定する。認証部１０４は、運転者の認証結果を車両制御部２８に供給する。
【００９７】
なお、例えば、運転者の認証に失敗した場合、車両の走行が禁止されるようにしてもよい。この場合、例えば、運転者が、セキュリティが確保された環境下で所定の操作を行い、新規のユーザ登録を行うことにより、車両の走行が許可されるようにしてもよい。
【００９８】
ただし、運転者の認証を行う主な目的は、認証された運転者の運転操作の特徴と運転者の状態との相関をとり、それに応じて車両を制御したり、ペナルティを適用したりすることである。従って、必ずしも認証結果を車両の走行の許可又は禁止の制御に用いる必要はない。これにより、例えば、緊急時等に未認証の状態で走行することが可能になる。なお、例えば、未認証の状態で走行していることを表示灯や車車間通信等により周囲に通知するようにしてもよい。
【００９９】
ステップＳ２において、ログ生成部１２６は、ログの記録を開始する。なお、ログの詳細については、図１０を参照して後述する。
【０１００】
ステップＳ３において、車両制御部２８は、目的地を取得する。具体的には、車両の搭乗者（必ずしも運転者とは限らない）は、入力部２４を介して、目的地を入力する。入力部２４は、取得した目的地を示す情報を車両制御部２８に供給する。
【０１０１】
ステップＳ４において、車両制御システム１１は、周辺情報の取得を開始する。
【０１０２】
例えば、周辺撮影部２１は、車両の進行方向及び周辺の撮影、並びに、撮影により得られた周辺画像の車両制御部２８への供給を開始する。
【０１０３】
周辺情報取得部２２は、車両の周辺の環境及び物体等に関する周辺情報の取得、並びに、周辺情報の車両制御部２８への供給を開始する。
【０１０４】
車両情報取得部２５は、車両情報の取得、及び、車両制御部２８への供給を開始する。
【０１０５】
位置測定部２３は、車両の現在位置の測定、及び、測定結果の車両制御部２８への供給を開始する。
【０１０６】
通信部２７は、ＩＴＳスポット（不図示）からのＬＤＭ（Local Dynamic Map）の受信、及び、ＬＤＭの車両制御部２８への供給を開始する。また、通信部２７は、サーバ（不図示）からの地図データ等の受信、及び、地図データ等の車両制御部２８への供給を開始する。なお、地図データを予め記憶部３５に記憶しておき、車両制御部２８が、記憶部３５から地図データを取得するようにしてもよい。さらに、通信部２７は、路側機（不図示）からの各種の交通情報の受信、及び、交通情報の車両制御部２８への供給を開始する。
【０１０７】
なお、以下、ＬＤＭ、地図データ等の地図に関する情報をまとめて地図情報と称する。
【０１０８】
周辺監視部１２１は、周辺撮影部２１からの周辺画像、周辺情報取得部２２からの周辺情報、及び、通信部２７からの各種の情報に基づいて、車両の周辺の監視を開始する。
【０１０９】
ルート設定部１５１は、周辺監視部１２１から取得した情報、及び、車両情報取得部２５から供給される車両情報に含まれる車両の加速度及び角速度等に基づいて、車両の現在位置の補正を適宜行う。これにより、例えば、地図情報内の継時変化が反映されていない情報や位置測定部２３の誤差等による車両の現在位置の推定誤差が補正される。
【０１１０】
ステップＳ５において、ルート設定部１５１は、走行ルートの設定を開始する。具体的には、ルート設定部１５１は、地図情報に基づいて、運転者の運転能力等を考慮しながら、現在位置から目的地までの走行ルートを設定する。また、ルート設定部１５１は、時間帯、目的地までの天候、渋滞、通行規制等の情報に基づいて、必要に応じて適宜走行ルートを変更する。
【０１１１】
ステップＳ６において、自動化レベル設定部１５２は、自動化レベルの更新を開始する。
【０１１２】
具体的には、自動化レベル設定部１５２は、地図情報及び周辺情報等に基づいて、走行ルート上において、許容される自動化レベル（以下、許容自動化レベルと称する）の分布を設定する。ここで、許容自動化レベルとは、対象となる区間において設定可能な自動化レベルの最大値を示す。例えば、許容自動化レベルがレベル３の区間においては、車両は自動化レベル３以下に設定して走行することが可能である。
【０１１３】
例えば、自動化レベル設定部１５２は、走行ルート上の許容自動化レベルの分布を、地図情報等に示されるデフォルト値に設定する。そして、自動化レベル設定部１５２は、地図情報及び周辺情報から得られる天候、道路の状態、事故、工事、交通規制等の走行ルート上及び周辺の環境に関する情報に基づいて、走行ルート上の許容自動化レベルの分布を適宜更新する。
【０１１４】
例えば、路面の道路鋲、ペイント、石等の道路の区画線、記号、並びに、文字等の道路標示が積雪等で認識困難な区間において、許容自動化レベルが本来のレベル３からレベル２に下げられたり、ＬＫＡＳの使用が禁止されたりする。例えば、火災による煙や濃霧等で視界が不良な区間において、許容自動化レベルが本来のレベル３からレベル２に下げられたり、最高速度が制限されたりする。例えば、事故が発生したり、落下物が検出されたりした区間において、許容自動化レベルがレベル１又はレベル０に下げられる。例えば、路面が凍結した区間や、横風が激しい橋において、制限速度が下げられたり、許容自動化レベルがレベル１又はレベル０に下げられたりする。
【０１１５】
ここで、図７を参照して、許容自動化レベルの分布の具体例について説明する。
【０１１６】
地点Ｐ１と地点Ｐ２の間の区間Ｓ１は、ＬＤＭの更新情報があり、直線で道路標示が明瞭な区間であり、許容自動化レベルがレベル３に設定されている。
【０１１７】
地点Ｐ２と地点Ｐ３の間の区間Ｓ２は、ＬＤＭの更新情報があるが、飛び出し事故が多発している区間であり、許容自動化レベルがレベル２に設定されている。
【０１１８】
地点Ｐ３と地点Ｐ４の間の区間Ｓ３は、ＬＤＭの更新情報があり、直線で道路標示が明瞭な区間であり、許容自動化レベルがレベル３に設定されている。
【０１１９】
地点Ｐ４と地点Ｐ５の間の区間Ｓ４は、ＬＤＭの更新が遅延又は不足しており、冬期の夜間は路面凍結が発生する可能性がある区間であり、許容自動化レベルがレベル１に設定されている。
【０１２０】
なお、地点Ｐ４を含む区間Ｓ３と区間Ｓ４の境界付近に、例えば、自動化レベル３から自動化レベル２以下への遷移時に運転者が運転操作に復帰できなかった車両が退避したり、故障車や緊急車両等が駐車したりするための非常駐車帯２０１が設けられている。
【０１２１】
地点Ｐ５と地点Ｐ６の間の区間Ｓ５は、ＬＤＭの更新情報があるが、路上駐車をしている車両が多く、かつ、視界不良な区間であり、許容自動化レベルがレベル１に設定されている。
【０１２２】
地点Ｐ６と地点Ｐ７の間の区間Ｓ６は、ＬＤＭの更新情報があり、直線で道路標示が明瞭な区間であり、許容自動化レベルがレベル３に設定されている。
【０１２３】
なお、区間Ｓ６内には、自動運転車両が緊急で避難可能なサービスエリア２０２が設けられている。
【０１２４】
地点Ｐ７と地点Ｐ８の間の区間Ｓ７は、ＬＤＭの更新が遅延又は不足しており、安全レベルが未定義の区間であり、許容自動化レベルがレベル１に設定されている。
【０１２５】
なお、区間Ｓ７内の地点Ｐ７から所定の範囲内に、非常駐車帯２０３が設けられている。
【０１２６】
地点Ｐ８と地点Ｐ９の間の区間Ｓ８は、ＬＤＭの更新情報があり、直線で道路標示が明瞭な区間であり、通常は許容自動化レベルがレベル３に設定される区間である。ただし、区間Ｓ８は、現時点で悪天候のため視界不良であり、許容自動化レベルがレベル２に規制されている。
【０１２７】
なお、通常自動化レベル３が利用可能な区間であっても、気象状況等により頻繁に下位の自動化レベルに変更される可能性のある区間には、例えば、区間Ｓ８のように途中に非常駐車帯２０４が設けられる。また、例えば、地点Ｐ９への進入前に、運転者の運転操作のレベルの低下が予測される場合、非常駐車帯２０４は、車両の事前退避地点として用いられる。
【０１２８】
地点Ｐ９と地点Ｐ１０の間の区間Ｓ９は、自動運転が禁止されている区間であり、許容自動化レベルがレベル０に設定されている。
【０１２９】
地点Ｐ１０と地点Ｐ１１の間の区間Ｓ１０は、ＬＤＭの更新情報があり、直線で道路標示が明瞭な区間であり、許容自動化レベルがレベル３に設定されている。
【０１３０】
なお、区間Ｓ１０内の地点Ｐ１０付近に、自動運転車両が緊急で避難可能なサービスエリア２０５が設けられている。サービスエリア２０２やサービスエリア２０５は、例えば、車両を強制停車（後述）させる場所としても用いられる。
【０１３１】
そして、自動化レベル設定部１５２は、走行ルート上の許容自動化レベルの分布及び現在位置に基づいて、車両の自動化レベルを適宜更新する処理を開始する。
【０１３２】
例えば、自動化レベル設定部１５２は、車両の自動化レベルを許容自動化レベルに合わせて自動的に変動させる。或いは、例えば、自動化レベル設定部１５２は、車両の自動化レベルより許容自動化レベルが低くなる区間においては、自動的に自動化レベルを下げ、車両の自動化レベルより許容自動化レベルが高くなる区間においては、ユーザ操作により自動化レベルを上げるようにしてもよい。
【０１３３】
ステップＳ７において、車両制御システム１１は、運転者の監視を開始する。
【０１３４】
具体的には、運転者監視部２６の運転者撮影部１０１は、運転者の撮影、及び、撮影により得られた運転者画像の車両制御部２８への供給を開始する。
【０１３５】
生体情報取得部１０２は、運転者の生体情報の取得、及び、車両制御部２８への供給を開始する。
【０１３６】
視線検出部１０３は、運転者画像に基づいて、運転者の顔の向き、視線の向き、瞬き、眼球の動き（例えば、固視、サッカード等）の検出、並びに、検出結果の車両制御部２８への供給を開始する。
【０１３７】
運転挙動分析部１４１は、運転者画像、車両情報、及び、学習部１２７による学習結果等に基づいて、運転者の運転挙動の分析を開始する。
【０１３８】
運転者状態検出部１４２は、運転者画像、運転者の生体情報、視線検出部１０３による検出結果、認証部１０４による認証結果、及び、学習部１２７による学習結果等に基づいて、運転者の状態の検出を開始する。
【０１３９】
例えば、運転者状態検出部１４２は、運転者の姿勢及び行動等の検出を開始する。
【０１４０】
また、例えば、運転者状態検出部１４２は、運転者の反応性及び覚醒度の検出を行う。ここで、運転者の反応性は、例えば、外部からの要求、指示、及び、刺激、並びに、車両の進行方向の障害物等に対する運転者の反応の有無、反応速度、及び、反応の適格性等に基づいて定義される。運転者の反応性は、運転者の覚醒度が低下している場合に加えて、運転者の意識が運転に向けられていない場合や、意図的に反応しない場合等に低下する。
【０１４１】
運転者の反応性及び覚醒度の検出方法には、例えば、パッシブモニタリングとアクティブモニタリングがある。
【０１４２】
パッシブモニタリングでは、運転者の状態を受動的に観察することにより、運転者の反応性及び覚醒度が検出される。
【０１４３】
例えば、顔の向きの遷移、視線の向きの遷移、瞬きの頻度、眼球の動きの遷移等の運転者の動きに基づいて、運転者の反応性及び覚醒度が検出される。例えば、周辺撮影部２１や周辺情報取得部２２等で得られた情報の方角に対する運転者の視線移動に基づいて、対象物への視線移動や固視等の運転者の注意力が観測され、その結果に基づいて、運転者の反応性及び覚醒度が検出される。
【０１４４】
例えば、運転者の心拍数、体臭等の生体情報に基づいて、運転者の覚醒度が検出される。
【０１４５】
例えば、ステアリングホイールの操舵安定性や操作速度、アクセルペダルやブレーキペダルの操作安定性や操作速度等の運転者の運転操作の継時的な推移を観測することにより、運転者の反応性及び覚醒度の変化が検出される。なお、これらの運転者の反応は、運転者毎に固有の特性を有するため、運転者の状況に応じた特性の学習を行い、その学習結果に基づいて、運転者の覚醒度を検出するようにしてもよい。
【０１４６】
アクティブモニタリングでは、視覚、聴覚、触覚等による刺激や指示等を運転者に与え、与えた刺激や指示等に対する運転者の反応を観察することにより、運転者の反応性及び覚醒度が検出される。例えば、パッシブモニタリングにより運転者の反応性及び覚醒度の検出が困難な場合や検出精度を高めるためにアクティブモニタリングが用いられる。例えば、自動化レベル３以上になると、運転者の操舵機器への介在が完全に途切れる場合があり、操舵機器への操作状況をモニタリングしても、運転者の反応を検出することができない。そのため、確実に運転者の状態を把握するために、アクティブモニタリングは有効な手段となる。つまり、アクティブモニタリングはパッシブモニタリングを補完する機能を備える。また、例えば、運転者に刺激を与え覚醒させるためにアクティブモニタリングが用いられる。
【０１４７】
例えば、運転者状態検出部１４２は、表示部２９を制御して、運転者の視界内に短い単語や数字を表示し、運転者に音読させたり、簡単な数式を表示し、運転者に計算結果を発声させたりすることにより、運転者の反応性及び覚醒度を検出する。
【０１４８】
例えば、運転者状態検出部１４２は、表示部２９を制御して、運転者の視界内に運転者の視線の目標となる疑似ターゲットを表示させて、運転者の視線の動きを追跡することにより、運転者の反応性及び覚醒度を検出する。
【０１４９】
例えば、運転者状態検出部１４２は、音声出力部３０を制御して、運転者に簡単な指示（例えば、頭部を横に振る等）を出し、その指示に対する運転者の反応を観察することにより、運転者の反応性及び覚醒度を検出する。
【０１５０】
例えば、運転支援制御部１５３は、運転者状態検出部１４２の指示に従って、走行制御部３３を制御し、安全性を確保できる範囲内で、車両に不自然な走行をさせる。そして、運転者状態検出部１４２は、不自然な走行に対する運転者の反応に基づいて、運転者の反応性及び覚醒度を検出する。
【０１５１】
例えば、走行制御部３３は、ステアリングホイールと車両の進行方向とがアンバランスとなるように制御する。例えば、走行制御部３３は、ステアリングホイールの操作が行われていない場合に、車輪の方向を変化させたり、左右アンバランスの制動負荷を加えたりすることで、所定の期間車両を蛇行させる。これに対して、運転者状態検出部１４２は、運転者が蛇行を是正するようにステアリングホイールを操作するか否か、及び、反応速度等に基づいて、運転者の反応性及び覚醒度を検出する。なお、車両を蛇行させる量は、運転者が無意識のうちに蛇行を是正するように運転操作を行う範囲内に設定することが望ましい。また、例えば、車載装置制御部３４は、車両が正常に車線に沿って走行している場合に、ステアリングホイールに疑似的に車両が蛇行する場合に相当する回転負荷を加える。これに対して、運転者状態検出部１４２は、運転者が回転を止めるようにステアリングホイールを操作するか否か、及び、反応速度等に基づいて、運転者の反応性及び覚醒度を検出する。
【０１５２】
なお、例えば、運転者が反応せずに蛇行運転が継続することにより、運転者の反応性又は覚醒度の低下等により何らかの危険が発生するおそれがあることを、後続車に知らせることができる。また、運転者が反応せずに蛇行運転が継続した場合、通信部２７等を介して外部に異常を通知するようにしてもよい。
【０１５３】
例えば、走行制御部３３は、所定の期間、車線から僅かに逸脱させる方向に車両の進行方向を変更する。これに対して、運転者が前方に正常な注意を向けている場合、車両の方向を補正するように操舵を行うことが期待される。従って、運転者状態検出部１４２は、車両を車線内に戻すようにステアリングホイールを操作するか否か、及び、反応速度等に基づいて、運転者の反応性及び覚醒度を検出する。ただし、無条件に車両の進行方向が変更すると、周辺車両との位置関係次第では危険な状態が発生する。また、後続車が追尾走行を行っている可能性がある。従って、この検出方法は、周辺車両の状態や運転者の心理的影響等の複合条件を総合的に判断して、周辺車両に悪影響を与えない範囲で実施されることが望ましい。
【０１５４】
例えば、運転支援制御部１５３は、ＡＣＣが有効である場合に、通常時と比べて、先行車との車間距離を長く設定する。これに対して、運転者状態検出部１４２は、車間距離を通常時の長さに戻すようにアクセルペダルを操作するか否か、及び、反応速度に基づいて、運転者の反応性及び覚醒度を検出する。
【０１５５】
例えば、走行制御部３３は、ステアリングホイールの操舵量に対して、車両の進行方向の変化量を通常より大きく又は小さくする。これに対して、運転者状態検出部１４２は、進行方向を所望の方向に調整するようにステアリングホイールを操作するか否か、及び、反応速度に基づいて、運転者の反応性及び覚醒度を検出する。なお、通常時との車両の進行方向の変化量の差は、運転者が無意識のうちに進行方向を是正するように運転操作を行う範囲内に設定することが望ましい。
【０１５６】
例えば、走行制御部３３は、アクセルペダルの踏み込み量に対して、車両の加速度を通常より大きく又は小さくする。これに対して、運転者状態検出部１４２は、車両の速度を所望の速度に調整するようにアクセルペダルを操作するか否か、及び、反応速度に基づいて、運転者の反応性及び覚醒度を検出する。なお、通常時との車両の加速度の差は、運転者が無意識のうちに加速度を是正するように運転操作を行う範囲内に設定することが望ましい。
【０１５７】
例えば、走行制御部３３は、ブレーキペダルの踏み込み量に対して、車両の減速度を通常より大きく又は小さくする。これに対して、運転者状態検出部１４２は、車両の速度を所望の速度に調整するようにブレーキペダルを操作するか否か、及び、反応速度に基づいて、運転者の反応性及び覚醒度を検出する。なお、通常時との車両の減速度の差は、運転者が無意識のうちに減速度を是正するように運転操作を行う範囲内に設定することが望ましい。
【０１５８】
例えば、車両が自律自動運転を行っており、運転者が運転に介在する必要がない場合に、運転者が携帯端末１２（情報処理装置）を操作しているとき、運転者状態検出部１４２は、通信部２７を介して、携帯端末１２の画面に、運転者への指示を示すサブウインドウを表示させる。そして、運転者状態検出部１４２は、その指示に対する運転者の正常な反応の有無、及び、反応速度等に基づいて、運転者の反応性及び覚醒度を検出する。
【０１５９】
例えば、運転者が前方を見ているが、考え事等により運転に対する意識が低下している場合、パッシブモニタリングでは、運転者の反応性及び覚醒度を検出することが困難なときがある。これに対して、アクティブモニタリングを用いることにより、運転者の反応性及び覚醒度の検出精度が向上する。
【０１６０】
なお、上述した以外にも、例えば、意識状態、精神状態、緊張状態、薬物の影響度合い等の他の種類の運転者の状態を検出するようにしてもよい。
【０１６１】
運転介在レベル検出部１４３は、運転挙動の分析結果、及び、運転者の状態の検出結果に基づいて、運転者の運転介在レベルの検出を開始する。
【０１６２】
ステップＳ８において、学習部１２７は、学習処理を開始する。
【０１６３】
例えば、学習部１２７は、運転挙動分析部１４１の分析結果に基づいて、運転者の運転能力と各種検出可能な運転者の状態との相関の学習を開始する。
【０１６４】
例えば、学習部１２７は、運転者がマニュアル運転を正常に行っているときの生体情報、運転者の動き、運転者の運転操作の傾向の学習を開始する。例えば、学習部１２７は、車線の中心を安定して走行したり、停止信号等で車両が安定して停止したり、カーブにおいて適切に減速が行われたりする等の安定した運転操作が行われているときの運転者の視線の挙動、頭部の姿勢、体の姿勢、脈波波形、呼吸状態、外光に対する瞳孔反応など、走行条件に応じた運転者固有の特性と覚醒時の正常な運転特性との相関を恒常的に学習する。この学習結果を用いることにより、例えば、パッシブモニタリングの精度が向上する。
【０１６５】
例えば、学習部１２７は、正常時と異常時の判別が可能なようにアクティブモニタリングに対する運転者の反応特性の学習を開始する。この学習結果を用いることにより、例えば、アクティブモニタリングの精度が向上する。
【０１６６】
なお、上記の学習には、例えば、単純な相関学習から、ＣＮＮ（Convolutional Neural Network）等の複雑な人工知能学習まで、任意の学習方法を用いることができる。このように、運転者固有の特性が各状態に応じて学習されることにより、認証した運転者の状態（例えば、運転者の健康状態や疲労具合等）に基づいて、運転者の運転能力がより正確に検出されるようになる。
【０１６７】
そして、学習部１２７は、学習結果を記憶部３５に記憶させる。なお、学習結果を、利用した車両に記憶し、再利用するだけでなく、電子キーや遠隔サーバ等に車両と分離して記憶させて、別の車両でも容易に利用できるようにしてもよい。また、運転者が繰り返し利用する車両において、前回利用時の学習結果を取り込み、その陳腐化を判定して、前回利用時までに得られた学習辞書を初期データとして利用してもよい。
【０１６８】
ステップＳ９において、運転支援制御部１５３は、運転支援を開始する。すなわち、運転支援制御部１５３は、現在の自動化レベルに合わせて、走行制御部３３を制御することにより、ＡＣＣ、ＬＫＡＳ、ＴＪＡ、ＡＥＢＳ等の運転を支援する処理を開始する。
【０１６９】
ステップＳ１０において、運転介在レベル検出部１４３は、運転介在レベルが不足しているか否かを判定する。
【０１７０】
ここで、要求される運転介在レベルは、設定されている自動化レベルにより異なる。
【０１７１】
自動化レベル０に設定されている場合、上述したように、運転者は全ての運転タスクを実施する必要がある。従って、運転者の運転介在レベルとして、車両の進行方向に視線及び注意を向け、必要な運転操作ができる状態であることが要求される。
【０１７２】
自動化レベル１に設定されている場合、上述したように、運転者は一部の運転タスクを実施する必要がある。従って、運転者の運転介在レベルとして、車両の進行方向に視線及び注意を向け、必要な運転操作ができる状態であることが要求される。ここで、必要な運転操作の種類が少なくなる点を除いて、要求される運転介在レベルは、自動化レベル０の場合とほぼ同様である。
【０１７３】
自動化レベル２に設定されている場合、上述したように、運転者は一部の運転タスクを実施する必要がある。従って、運転者の運転介在レベルとして、車両の進行方向に視線及び注意を向け、必要な運転操作ができる状態であることが要求される。ここで、必要な運転操作の種類が少なくなる点を除いて、要求される運転介在レベルは、自動化レベル０及び自動化レベル１の場合とほぼ同様である。
【０１７４】
自動化レベル３に設定されている場合、上述したように、基本的に自動運転システムが全ての運転タスクを実施する。一方、運転者は、予備対応時（フォールバック中）に、システムの要求等に対して、運転者が運転操作を行う等の対応を適切に行うことが期待される。従って、運転者の運転介在レベルとして、車両の進行方向に視線及び注意を向ける必要はないが、車両からの要求に所定の時間以内に反応することが要求される。また、自動化レベル３から下位のレベルに遷移する場合に、運転者が、自動化レベルの変更前に遷移先の自動化レベルの運転介在レベルに復帰することが望まれる。
【０１７５】
自動化レベル４に設定されている場合、上述したように、自動運転システムが全ての運転タスクを実施する。また、予備対応時（フォールバック中）に、運転者が運転操作を行う等の対応を行うことは期待されない。従って、運転者は、基本的に車両の運転に介在する必要はない。ただし、自動化レベル４から下位のレベルに遷移する場合に、運転者が、自動化レベルの変更前に遷移先の自動化レベルの運転介在レベルに復帰することが望まれる。
【０１７６】
自動化レベル５に設定されている場合、上述したように、自動運転システムは、全ての運転タスクを実施する。従って、運転者は、車両の運転に介在する必要はない。
【０１７７】
従って、自動化レベル４又は自動化レベル５に設定されている場合、運転者が運転に介在する必要がないため、無条件で、運転介在レベルが不足していないと判定される。
【０１７８】
一方、自動化レベル０乃至自動化レベル３のいずれかに設定されている場合、運転介在レベル検出部１４３は、運転介在レベルが、現在の自動化レベルにおける条件を満たしてない状態が所定の時間以上継続したとき、運転介在レベルが不足していると判定し、処理はステップＳ１１に進む。
【０１７９】
例えば、自動化レベル０乃至自動化レベル２のいずれかに設定されている場合、運転者が車両の進行方向に視線及び注意を向けていない状態が所定の時間以上継続したとき、例えば、操舵機器への操作が正常時より遅延し、軌道が逸れた場合に、軌道を補正するために急激な操舵操作を行うことにより、いわゆるふらつきが検出されたとき、運転介在レベルが不足していると判定され、処理はステップＳ１１に進む。
【０１８０】
例えば、自動化レベル３に設定されている場合、アクティブモニタリングにより運転者に指示を与えたにも関わらず、所定の時間以内に運転者が正常な反応を示さなかった場合、運転介在レベルが不足していると判定され、処理はステップＳ１１に進む。
【０１８１】
なお、自動化レベル４で走行可能な区間が存在しても、必ずしも全行程が自動化レベル４で走行可能であるとは限らない。従って、自動化レベル４に設定されている場合にも、自動化レベルが下位レベルに移行する場合を想定して、自動化レベル３に設定されている場合と同様に、アクティブモニタリングにより運転介在レベルの判定を実施してもよい。
【０１８２】
ステップＳ１１において、車両制御システム１１は、運転介在レベル矯正処理を実行し、その後処理はステップＳ１５に進む。
【０１８３】
ここで、図８のフローチャートを参照して、運転介在レベル矯正処理の詳細について説明する。
【０１８４】
ステップＳ４１において、運転介在レベル検出部１４３は、運転介在レベルの不足が多発しているか否かを判定する。例えば、運転介在レベル検出部１４３は、図５のステップＳ７の処理で運転者の監視が開始されてからの運転介在レベルの不足の発生回数が所定の閾値未満である場合、かつ、直前の所定の時間内（例えば、１０分間）の運転介在レベルの不足の発生頻度が所定の閾値未満である場合、運転介在レベルの不足が多発していないと判定し、処理はステップＳ４２に進む。
【０１８５】
ステップＳ４２において、車両制御システム１１は、運転者の注意を喚起する。
【０１８６】
例えば、表示部２９は、通知制御部１２４の制御の下に、運転者の視界内に運転者の注意を促す警告画面等の表示を行う。このとき、運転者が携帯端末１２を操作している場合、例えば、携帯端末１２の画面に警告画面等が表示される。
【０１８７】
この携帯端末１２に表示される警告画面として、例えば、進路表示画面において、後述する図９のステップＳ７１等においてマニュアル運転への復帰を促す地点が接近してくる状態が子画面により表示される。この進路表示画面は、例えば、２次元の地図表示や、走行ルート上の位置を表す一次元のバー表示とされる。
【０１８８】
また、例えば、マニュアル運転への復帰が必要な地点までの所要時間や距離に応じて、携帯端末１２の警告画面の表示態様が変化してもよい。例えば、マニュアル運転への復帰が必要な地点までの所要時間が５分を超える場合、小さな緑色の枠の警告画面が表示され、５分前に携帯端末１２の画面の１割を占める大きさに警告画面が変化し、２分前に携帯端末１２の画面の１／３を占める大きさに警告画面が変化するとともに、警告画面の枠が赤色に変化し、点滅する。
【０１８９】
さらに、例えば、警告画面が表示された場合に、運転者が慌てて携帯端末１２を操作することを防止するために、例えば、操作中の状態を強制的に保存し、後で同じ状態から操作を再開できるように携帯端末１２を自動的にスタンバイ状態に遷移させたり、携帯端末１２の画面を強制的にオフさせたりしてもよい。
【０１９０】
例えば、音声出力部３０は、通知制御部１２４の制御の下に、運転者に注意を促すための音声メッセージ、アラーム、ブザー、ビープ音、車内のみに聞こえる後続車の疑似カーホーン（クラクション）等の出力を行う。
【０１９１】
例えば、発光部３１は、通知制御部１２４の制御の下に、運転者に注意を促すためのランプ等の点灯又は点滅を行う。
【０１９２】
例えば、車載装置制御部３４は、通知制御部１２４の制御の下に、運転者のシート又はステアリングホイールを振動させたり、シートベルトを引っ張ったりする等のハプティクスフィードバックを行う。なお、シートを振動させる場合、例えば、車両がランブルストリップスや道路鋲を横切ったときと同様の振動が運転者に伝わるようにしてもよい。
【０１９３】
例えば、運転支援制御部１５３は、通知制御部１２４からの指示に従って、走行制御部３３を制御して、ランブルストリップスや道路鋲を横切ったときと同様の振動が運転者に伝わるように、車両のステアリングを制御する。
【０１９４】
なお、この注意喚起は、運転者になるべく不快感を与えないようにすることが望ましい。
【０１９５】
ステップＳ４３において、運転介在レベル検出部１４３は、運転介在レベルの不足が解消したか否かを判定する。運転介在レベル検出部１４３は、運転介在レベルが、現在の自動化レベルにおける条件をまだ満たしていない場合、運転介在レベルの不足が解消していないと判定し、処理はステップＳ４５に進む。
【０１９６】
一方、ステップＳ４１において、運転介在レベル検出部１４３は、運転者の監視が開始されてからの運転介在レベルの不足の発生回数が所定の閾値以上である場合、又は、直前の所定の時間内の運転介在レベルの不足の発生頻度が所定の閾値以上である場合、運転介在レベルの不足が多発していると判定し、処理はステップＳ４４に進む。
【０１９７】
ステップＳ４４において、ペナルティ適用部１２５は、ペナルティの適用が多発しているか否かを判定する。例えば、ペナルティ適用部１２５は、運転者の監視が開始されてからペナルティを適用した回数が所定の閾値未満である場合、かつ、直前の所定の時間内（例えば、３０分間）のペナルティの適用頻度が所定の閾値未満である場合、ペナルティの適用が多発していないと判定し、処理はステップＳ４５に進む。
【０１９８】
ステップＳ４５において、運転者状態検出部１４２は、危険な状態であるか否かを判定する。ここで、危険な状態とは、例えば、運転者が気を失っていたり、熟睡していたり、酒に酔っていたりする等で、運転者が要求される運転介在レベルにすぐに復帰できない状態、又は、運転者が正常に運転できない状態のことである。そして、危険な状態でないと判定された場合、処理はステップＳ４６に進む。
【０１９９】
ステップＳ４６において、車両制御システム１１は、ペナルティを適用する。
【０２００】
ここで、ペナルティには、運転中に適用されるペナルティと、運転後に適用されるペナルティとがある。より詳細には、運転中に適用されるペナルティは、目的地に到着するまで、又は、強制停車するまでに適用されるペナルティであり、以下、運転中ペナルティと称する。運転後に適用されるペナルティは、目的地に到着した後、又は、強制停車した後に適用されるペナルティであり、以下、事後ペナルティと称する。このステップにおいて適用されるペナルティは、運転中ペナルティとなる。
【０２０１】
以下、運転中ペナルティの具体例について説明する。
【０２０２】
運転中ペナルティには、例えば、体感的なペナルティ、運転者の負担を増大させるペナルティ、走行ルートを変更するペナルティ等がある。それらは、必ずしも明確に区別されるものではなく、１つのペナルティが複数の種類のペナルティに該当してもよい。
【０２０３】
例えば、ペナルティ適用部１２５は、ステップＳ４２で運転者に与えられた注意喚起をより強力にすることにより、運転者に不快感を与える。例えば、注意喚起時と比較して、音声メッセージ、アラーム、ブザー、ビープ音、疑似クラクション等の音量が上げられたり、不協和音等の不快な音色が出力されたりする。例えば、注意喚起時と比較して、運転者に注意を促すためのランプ等の光量が増大される。例えば、注意喚起時と比較して、ハプティクスフィードバックの強度が上げられる。
【０２０４】
例えば、ペナルティ適用部１２５は、車載装置制御部３４を制御して、運転席の背もたれを座面に対して垂直な方向に近づける。これにより、運転者は、不快な運転姿勢を強要される。
【０２０５】
例えば、ペナルティ適用部１２５は、臭い発生部３２を制御して、悪臭を短時間発生させる。この悪臭は、短時間持続された後、消臭されるものが望ましい。例えば、悪臭液が噴霧された後、所定の期間後に消臭液が噴霧される。
【０２０６】
例えば、ペナルティ適用部１２５は、走行制御部３３を制御して、所定の時間（例えば、２分、５分又は１０分等）、車両の上限速度を制限する。これにより、運転者は、スピードが出ないことに不快感を覚えるとともに、目的地への到着が遅延する。
【０２０７】
例えば、ペナルティ適用部１２５は、走行制御部３３を制御して、不快ブレーキ制動制御を行う。例えば、運転者がブレーキペダルを踏み込んでも、滑らかに減速せずに、減速度が増減することにより、運転者にとって不快な走行が強制的に行われる。ただし、後続車が存在する場合、後続車に影響を及ぼさないようにすることが望ましい。
【０２０８】
例えば、ペナルティ適用部１２５は、走行ルートを理想的なルートとは異なるルートに変更するように、ルート設定部１５１に指示する。これにより、例えば、目的地への到着が遅延するように、走行ルートが遠回りするルートに変更される。また、例えば、マニュアル運転が必須のルートを通るように、走行ルートが変更される。或いは、例えば、自動化レベル３以上での走行が許可されるルートを回避するように、走行ルートが変更される。これにより、運転者の負担が増大するともに、目的地への到着が遅延する。
【０２０９】
例えば、ペナルティ適用部１２５は、運転支援制御部１５３に、自動化レベルの引き下げを指示する。これにより、例えば、自動化レベルがレベル２以降に引き下げられ、運転者の負担が増大する。また、例えば、ペナルティ適用部１２５は、運転支援制御部１５３に、一部の運転支援機能（例えば、ＡＣＣ、ＬＫＡＳ等）の停止を指示する。
【０２１０】
この自動化レベルの引き下げや運転支援機能の制限は、強制的に所定の時間継続させてもよいし、或いは、例えば、複雑な操作や思考ルーチンを介さないと、元の自動化レベルに戻せないようにしてもよい。後者の場合、運転者の覚醒効果も期待できる。
【０２１１】
なお、運転者がペナルティに慣れてしまうことを防止するために、ペナルティの適用が繰り返される場合、適用されるペナルティの種類、程度、継続時間等が適度に変更されることが望ましい。
【０２１２】
また、例えば、運転者が受ける不利益の程度により、ペナルティのランク付けを行うようにしてもよい。また、同じ種類のペナルティでも、その程度や継続時間等により、ランク付けを行うようにしてもよい。これにより、例えば、運転者が受ける不利益が大きくなるほど、ペナルティのランクが高くなる。
【０２１３】
そして、例えば、ペナルティの適用回数が増えるにつれて、適用するペナルティのランクを高くするようにしてもよい。
【０２１４】
また、例えば、運転者の反応性又は覚醒度が低くなるほど、適用するペナルティのランクを高くするようにしてもよい。さらに、適用するペナルティのランクを高くするのに合わせて、例えば、後述する図９のステップＳ７１等において運転者にマニュアル運転への復帰を促す地点を前倒しするようにしてもよい。これにより、自律自動運転区間を短縮するペナルティ効果が奏される。また、マニュアル運転に復帰するまでの移行期間が長くなり、マニュアル運転への移行がより安全に行われるようになる。
【０２１５】
ステップＳ４７において、ステップＳ４３の処理と同様に、運転介在レベルの不足が解消したか否かが判定される。運転介在レベルが、現在の自動化レベルにおける条件を満たした場合、運転介在レベルの不足が解消したと判定され、処理はステップＳ４８に進む。すなわち、ペナルティを適用することにより、運転介在レベルが矯正された場合、処理はステップＳ４８に進む。
【０２１６】
なお、ペナルティの適用が継続している場合、この時点でペナルティの適用が停止する。
【０２１７】
一方、ステップＳ４３において、運転介在レベルが、現在の自動化レベルにおける条件を満たした場合、運転介在レベルの不足が解消したと判定され、処理はステップＳ４８に進む。すなわち、運転者の注意を喚起することにより、運転介在レベルが矯正された場合、処理はステップＳ４８に進む。
【０２１８】
なお、運転者への注意喚起が継続している場合、この時点で注意喚起が停止する。
【０２１９】
ステップＳ４８において、運転支援制御部１５３は、必要に応じて、一時的に運転操作を制限する。
【０２２０】
例えば、運転者が、居眠りから覚めた後、意識がはっきりしない状態で、焦ってステアリングホイール、アクセルペダル、又は、ブレーキペダルを操作すると、不適切な車両の旋回、急加速、又は、急停車等が行われ、事故につながるおそれがある。
【０２２１】
そこで、運転支援制御部１５３は、運転介在レベルが矯正される前の運転者の状態に応じて、一時的に運転操作に制限を設ける。例えば、運転支援制御部１５３は、運転者が居眠り等の覚醒度が非常に低い状態から覚醒した場合、運転者によるステアリングホイール、アクセルペダル、又は、ブレーキペダルの操作を一時的に無効にし、その間自律自動運転を継続する。そして、運転支援制御部１５３は、ステアリングホイール、アクセルペダル、又は、ブレーキペダルの操作を有効にするための操作や行動を運転者に課す。
【０２２２】
例えば、通知制御部１２４は、運転支援制御部１５３の指示に従って、表示部２９又は音声出力部３０を制御して、運転者に実行させる操作や行動を画像又は音声により通知する。
【０２２３】
例えば、「アクセルペダル（又はブレーキペダル）に足を置いて軽く踏み込んでください」、「アクセルペダル（又はブレーキペダル）を軽く踏み込む動作を１０回繰り返してください」、「アクセルペダル（又はブレーキペダル）をランプの点灯に合わせて軽く踏み込んでください」、「ステアリングホイールを握って、左右に軽く回転してください」等の指示が運転者に出される。或いは、例えば、上述したアクティブモニタリングにより運転者の反応性及び覚醒度を検出する場合と同様の操作や行動の指示が運転者に出される。
【０２２４】
そして、運転支援制御部１５３は、運転者が指示に従って所定の操作や行動を正常に実施できた場合、運転者によるステアリングホイール、アクセルペダル、又は、ブレーキペダルの操作を有効にし、自律自動運転からマニュアル運転に遷移させる。
【０２２５】
このように、運転者が与えられた指示に適切に対応するまで、運転操作の制限が行われる。
【０２２６】
その後、運転介在レベル矯正処理は終了する。
【０２２７】
一方、ステップＳ４７において、運転介在レベルの不足が解消していないと判定された場合、すなわち、ペナルティを適用したにも関わらず、運転介在レベルが矯正されなかった場合、処理はステップＳ４９に進む。
【０２２８】
また、ステップＳ４４において、ペナルティ適用部１２５は、運転者の監視が開始されてからペナルティを適用した回数が所定の閾値以上である場合、又は、直前の所定の時間内のペナルティの適用頻度が所定の閾値以上である場合、ペナルティの適用が多発していると判定し、処理はステップＳ４９に進む。
【０２２９】
ステップＳ４９において、自動化レベル設定部１５２は、自律自動運転中であるか否かを判定する。自動化レベル設定部１５２は、現在の自動化レベルがレベル２以下である場合、自律自動運転中でないと判定し、処理はステップＳ５０に進む。
【０２３０】
また、ステップＳ４５において、危険な状態であると判定された場合、処理はステップＳ５０に進む。
【０２３１】
ステップＳ５０において、車両制御システム１１は、強制停車処理を行う。例えば、ルート設定部１５１は、緊急を要する場合、地図情報に基づいて、走行ルート上の最寄りの緊急車両等の駐停車可能な場所（例えば、非常駐車帯、安全地帯、店舗の駐車場等）を検索し、検出された場所（例えば、図７の非常駐車帯２０１等）を、車両を強制停車させる場所（以下、強制停車場所と称する）に設定する。
【０２３２】
また、例えば、ルート設定部１５１は、それほど緊急を要しない場合、地図情報に基づいて、最寄りのパーキングエリア又はサービスエリア（例えば、図７のサービスエリア２０２等）を検索する。ルート設定部１５１は、所定の範囲内にパーキングエリア又はサービスエリアがあり、そこにマニュアル運転が要求されるルートを通らずにたどり着ける場合、そのパーキングエリア又はサービスエリアを強制停車場所に設定する。一方、ルート設定部１５１は、所定の範囲内にパーキングエリア又はサービスエリアがない場合、又は、マニュアル運転が要求されるルートを通らずにパーキングエリア又はサービスエリアにたどり着けない場合、緊急を要する場合と同様の方法により、強制停車場所を検索し、設定する。
【０２３３】
運転支援制御部１５３は、走行制御部３３等を制御して、設定された強制停車場所に車両を停車させる。このとき、必要に応じて、減速又は徐行が行われる。また、必要に応じて、停車後にＳＯＳ発信が行われる。
【０２３４】
なお、車両が強制停車場所に停車する前に、運転者が強制的にマニュアル運転への切替えを行い、運転復帰を強行することも想定される。この場合、運転者が十分に覚醒していない可能性があるため、段階的にマニュアル運転に移行させることが望ましい。
【０２３５】
その後、運転介在レベル矯正処理は終了する。
【０２３６】
一方、ステップＳ４９において、自動化レベル設定部１５２は、現在の自動化レベルがレベル３以上である場合、自律自動運転中であると判定し、処理はステップＳ５１に進む。
【０２３７】
ステップＳ５１において、マニュアル運転復帰支援処理を実行し、運転介在レベル矯正処理は終了する。
【０２３８】
ここで、図９のフローチャートを参照して、マニュアル運転復帰支援処理の詳細について説明する。
【０２３９】
ステップＳ７１において、通知制御部１２４は、運転者にマニュアル運転への復帰を促す。
【０２４０】
例えば、表示部２９は、通知制御部１２４の制御の下に、運転者の視界内にマニュアル運転に復帰するように促すメッセージの表示を行う。
【０２４１】
例えば、音声出力部３０は、通知制御部１２４の制御の下に、運転者にマニュアル運転に復帰するように促すメッセージ、アラーム、ブザー、ビープ音等の出力を行う。
【０２４２】
なお、この通知は、運転者になるべく不快感を与えないようにすることが望ましい。ただし、不快感を与えないレベルから不快感を与えるレベルまで段階的に音量を上げるような方法では、例えば、運転者が仮眠をしている場合、通知が夢の延長であると錯覚するおそれがある。これに対して、例えば、アラーム音、メッセージ、ハプティックス振動、ブザーのように複数の通知方法を順番に切り替えるようにしてもよい。
【０２４３】
ステップＳ７２において、運転介在レベル検出部１４３は、マニュアル運転に復帰可能であるか否かを判定する。運転介在レベル検出部１４３は、運転介在レベルが、変更後（マニュアル運転に復帰した後）の自動化レベルにおける条件を満たしていない場合、マニュアル運転に復帰可能でないと判定し、処理はステップＳ７３に進む。
【０２４４】
ステップＳ７３において、図８のステップＳ４６の処理と同様に、ペナルティが適用される。
【０２４５】
ステップＳ７４において、ステップＳ７２の処理と同様に、マニュアル運転に復帰可能であるか否かが判定される。運転介在レベルが、変更後（マニュアル運転に復帰した後）の自動化レベルにおける条件を満たしている場合、マニュアル運転に復帰可能であると判定され、処理はステップＳ７５に進む。すなわち、ペナルティを適用することにより、運転者が、運転介在レベルを矯正し、マニュアル運転に復帰する準備ができた場合、処理はステップＳ４８に進む。
【０２４６】
なお、ペナルティの適用が継続している場合、この時点でペナルティの適用が停止する。
【０２４７】
一方、ステップＳ７２において、マニュアル運転に復帰可能であると判定された場合、ステップＳ７３及びステップＳ７４の処理はスキップされ、処理はステップＳ７５に進む。
【０２４８】
ステップＳ７５において、図８のステップＳ４８の処理と同様に、必要に応じて、一時的に運転操作が制限される。
【０２４９】
その後、マニュアル運転復帰支援処理は終了する。
【０２５０】
一方、ステップＳ７４において、マニュアル運転に復帰可能でないと判定された場合、すなわち、ペナルティを適用したにも関わらず、運転者が、運転介在レベルを矯正せず、マニュアル運転に復帰する準備ができなかった場合、処理はステップＳ７６に進む。
【０２５１】
ステップＳ７６において、図８のステップＳ５０の処理と同様に、強制停車処理が行われる。
【０２５２】
その後、マニュアル運転復帰支援処理は終了する。
【０２５３】
図６に戻り、一方、ステップＳ１０において、運転介在レベルが不足していないと判定された場合、処理はステップＳ１２に進む。
【０２５４】
ステップＳ１２において、自動化レベル設定部１５２は、自動化レベルを変更するか否かを判定する。自動化レベルを変更すると判定された場合、処理はステップＳ１３に進む。
【０２５５】
例えば、現在位置から次の自動化レベルの変更地点までの距離が所定の閾値未満である場合、自動化レベルを変更すると判定される。或いは、例えば、現在位置から次の自動化レベルの変更地点までの所要時間の予測値が所定の閾値未満である場合、自動化レベルを変更すると判定される。
【０２５６】
例えば、図７の例において、地点Ｐ２において許容自動化レベルがレベル３からレベル２に変わる。従って、区間Ｓ１において自動化レベル３で走行している場合、区間Ｓ２に進入するまでに、自動化レベル２に切り替える必要がある。そこで、例えば、地点Ｐ２までの距離が所定の閾値未満である場合、又は、地点Ｐ２までの所要時間の予測値が所定の閾値未満である場合、自動化レベルを変更すると判定される。
【０２５７】
なお、これらの閾値は、例えば、運転者の運転能力、年齢、状態等により運転者のマニュアル運転への復帰に要する時間が予測され、その予測時間に基づいて、マニュアル運転に復帰する準備が十分に間に合う範囲内に設定される。
【０２５８】
また、例えば、自動化レベル３の場合に、予備対応時に自律自動運転の継続が困難になったとき、自動化レベルを変更すると判定される。例えば、ＡＣＣを利用して先行車に追従することにより自律自動運転を行っているときに、先行車から離脱の通知を受けた場合、自動化レベルを変更すると判定される。
【０２５９】
ステップＳ１３において、自動化レベル設定部１５２は、マニュアル運転への復帰が必要であるか否かを判定する。例えば、自動化レベル設定部１５２は、自動化レベル３又は自動化レベル４から自動化レベル２以下に遷移する場合、すなわち、自動化レベルが、運転者が運転に介在しないレベルから介在するレベルに遷移する場合、マニュアル運転への復帰が必要であると判定し、処理はステップＳ１４に進む。
【０２６０】
ステップＳ１４において、図９を参照して上述した、マニュアル運転復帰支援処理が実行される。その後、処理はステップＳ１５に進む。
【０２６１】
ステップＳ１５において、運転支援制御部１５３は、ステップＳ１１の運転介在レベル矯正処理、又は、ステップＳ１４のマニュアル運転復帰支援処理において、強制停車を行ったか否かを判定する。強制停車を行ったと判定された場合、処理はステップＳ１７に進む。
【０２６２】
一方、ステップＳ１３において、マニュアル運転への復帰が必要でないと判定された場合、処理はステップＳ１６に進む。
【０２６３】
ステップＳ１６において、通知制御部１２４は、自動化レベルの変更を通知する。
【０２６４】
例えば、表示部２９は、通知制御部１２４の制御の下に、運転者の視界内に自動化レベルの変更を示すメッセージの表示を行う。
【０２６５】
例えば、音声出力部３０は、通知制御部１２４の制御の下に、自動化レベルの変更を示すメッセージ、アラーム、ブザー、ビープ音等の出力を行う。
【０２６６】
その後、処理はステップＳ１７に進む。
【０２６７】
一方、ステップＳ１２において、自動化レベルを変更しないと判定された場合、ステップＳ１３乃至ステップＳ１６の処理はスキップされ、処理はステップＳ１７に進む。
【０２６８】
ステップＳ１７において、ルート設定部１５１は、目的地に到着したか否かを判定する。まだ目的地に到着していないと判定された場合、処理はステップＳ１０に戻る。
【０２６９】
その後、ステップＳ１５において、強制停車を行ったと判定されるか、ステップＳ１７において、目的地に到着したと判定されるまで、ステップＳ１０乃至ステップＳ１７の処理が繰り返し実行される。
【０２７０】
一方、ステップＳ１５において、強制停車を行ったと判定された場合、又は、ステップＳ１７において、目的地に到着したと判定された場合、処理はステップＳ１８に進む。
【０２７１】
ステップＳ１８において、上述した図８のステップＳ４１の処理と同様に、運転介在レベルの不足が多発したか否かが判定される。運転介在レベルの不足が多発したと判定された場合、処理はステップＳ１９に進む。
【０２７２】
ステップＳ１９において、ペナルティ適用部１２５は、必要に応じてペナルティを適用する。ここで適用されるのは、事後ペナルティである。以下、事後ペナルティの具体例について説明する。
【０２７３】
例えば、運転支援制御部１５３は、ペナルティ適用部１２５の指示の下に、走行制御部３３を制御して、強制停車の後、所定の期間、車両の発進を禁止する。これにより、目的地への到着が遅延する。
【０２７４】
例えば、運転支援制御部１５３は、ペナルティ適用部１２５の指示の下に、走行制御部３３を制御して、強制停車の後、目的地に到着するまで又は所定の期間、自動化レベル３以上の自動運転を禁止する。
【０２７５】
例えば、ログ生成部１２６は、ペナルティ適用部１２５の指示の下に、事後ペナルティに関する情報をログに記録する。
【０２７６】
例えば、自動車保険の割引ポイントの減点を実施するための情報がログに記録される。このログに記録された情報に基づいて、自動車保険の契約又は更新時に、割引ポイントが減点される。
【０２７７】
例えば、運転免許証の更新時に運転能力診断の受講を義務化するための情報が、ログに記録される。このログに記録された情報に基づいて、運転免許所の更新時に、運転能力診断の受講が運転者に義務付けられる。
【０２７８】
例えば、運転免許証の違反点数の加算を実施するための情報がログに記録される。このログに記録された情報に基づいて、運転者の運転免許所の違反点数が加算される。
【０２７９】
例えば、車検の検査内容を増やすための情報が、ログに記録される。このログに記録された情報に基づいて、車検時に、自動運転の安全性を向上させるために、より詳細な点検が行われる。かつ、自動運転の安全性を向上させるためには、自動運転を実現するための機器に高い冗長性が求められため、その点検に重点が置かれる。
【０２８０】
その後、自動運転制御処理は終了する。
【０２８１】
一方、ステップＳ１８において、運転介在レベルの低下が多発しなかったと判定された場合、ステップＳ１９の処理はスキップされ、自動運転制御処理は終了する。
【０２８２】
以上のようにして、運転者の運転介在レベルを矯正することにより、運転者が自動運転に依存してしまうことが抑制される。特に、ペナルティが適用されることにより不利益を被ることを事前に回避しようとする心理が、運転者に働く。これにより、例えば、自律自動運転中に、運転者が運転以外の行動や作業に集中し、運転への意識が低下したり、その状態が習慣化したりすることが確実に防止される。その結果、例えば、自律自動運転中にマニュアル運転を行う必要が発生した場合でも、運転者が適切かつ迅速に対応することができ、自動運転の安全性が向上する。
【０２８３】
＜ログの具体例＞
ここで、図１０を参照して、ログの具体例について説明する。
【０２８４】
ログには、例えば、番号（Ｎｏ．）、日にち、時刻、監視状況、イベント、ペナルティ、適用理由の項目を含む。
【０２８５】
番号には、ログの各レコードに割り振られたシリアルナンバーが記録される。
【０２８６】
日にち及び時刻には、イベントが発生した日時が記録される。
【０２８７】
監視状況には、運転者の状態の監視の実施状況が記録される。"Start"は、運転者の状態の監視の開始を示し、"Monitoring"は、運転者の状態を監視していることを示し、"End"は、運転者の監視の終了を示す。
【０２８８】
なお、上述した例では、常に運転者の状態を監視する例を示したが、例えば、必要性が小さい場合に、運転者の状態の監視を停止するようにしてもよい。例えば、この例に示されるように、自律自動運転を行っている場合、マニュアル運転に切り替わる前等を除いて、運転者の監視を停止するようにしてもよい。
【０２８９】
イベントには、発生したイベントの内容が簡潔に記録される。例えば、ＬＤＭのリクエスト、受信、更新等の各種の情報の送受信のイベントが記録される。また、運転者の状態の検出結果、運転者への注意喚起、ペナルティの適用等のイベントが記録される。運転者の状態の詳細、注意喚起の内容、適用したペナルティの内容等が記録されてもよい。また、自動化レベルの遷移が記録される。
【０２９０】
ペナルティには、ペナルティの適用の有無、及び、適用されたペナルティのランクが記録される。なお、”非該当”は、対応するイベントに対してペナルティが適用されなかったことを示す。
【０２９１】
適用理由には、ペナルティが適用された理由が記録される。
【０２９２】
なお、改変、捏造、盗聴等を防止するようにセキュリティ対策がログに施される。
【０２９３】
また、画像等を含めることによりログの情報量を増やすことにより、事故等の要因分析において、ログがより有用になると想定される。一方、特段の事象が発生していない場合のログは、保存する価値がない可能性が高い。そこで、例えば、数分から数十分の期間のログをバッファに一時的に保管し、古くなったログを随時消去していくとともに、衝撃、アラーム、注意喚起、事故等の事象の発生時に、その前後の所定の期間のログを、バッファから記憶部３５にコピーし、保存するようにしてもよい。
【０２９４】
さらに、例えば、ログを電子キーや遠隔サーバ等に車両と分離して記録することにより、別の車両でも容易に利用できるようにしてもよい。
【０２９５】
＜自動運転使用制限処理＞
次に、図１１のフローチャートを参照して、車両制御システム１１により実行される自動運転制御処理について説明する。なお、この処理は、例えば、図５及び図６を参照して上述した自動運転制御処理の前に実行される。
【０２９６】
ステップＳ１０１において、図５のステップＳ１の処理と同様に、運転者の認証が行われる。
【０２９７】
ステップＳ１０２において、ペナルティ適用部１２５は、直近の所定の期間内において、ペナルティの適用が多発しているか否かを判定する。具体的には、ペナルティ適用部１２５は、認証した運転者の直近の所定の期間内（例えば、１ヶ月間、３ヶ月間、６か月間、又は、１年間）のログを記憶部３５から取得する。次に、ペナルティ適用部１２５は、その期間内の運転者のペナルティの適用回数、及び、適用されたペナルティのランクの累積値を求める。そして、ペナルティ適用部１２５は、ペナルティの適用回数が所定の閾値以上である場合、又は、適用されたペナルティのランクの累積値が所定の閾値以上である場合、ペナルティの適用が多発していると判定し、処理はステップＳ１０３に進む。
【０２９８】
ステップＳ１０３において、自動化レベル設定部１５２は、ペナルティ適用部１２５の指示に従って、自動運転の使用を制限する。例えば、自動化レベル設定部１５２は、利用可能な自動化レベルをレベル２以下に制限する。或いは、自動化レベル設定部１５２は、自動化レベルをレベル０に固定する。これにより、運転者は、自律自動運転を利用できなくなり、マニュアル運転を実施せざるを得なくなる。
【０２９９】
なお、例えば、初めて自動運転機能を多用した車両を利用する運転者が自動運転に過度に依存した場合、緊急にマニュアル運転に復帰が必要なときに復帰が遅延する可能性が高くなる。そこで、そのような運転者に対して、例えば、ペナルティの適用が多発した記録が残っていなくても、自動運転の使用の制限を適用しやすくするようにしてもよい。
【０３００】
なお、この自動化レベルの使用制限は、運転者自身が解除できないようにすることが望ましい。例えば、ディーラしか解除できないようにしてもよい。或いは、所定の期間（例えば、１ヶ月）が経過するまで、自動化レベルの使用制限が解除されないようにしてもよい。
【０３０１】
その後、自動運転使用制限処理は終了する。
【０３０２】
一方、ステップＳ１０３において、ペナルティ適用部１２５は、ペナルティの適用回数が所定の閾値未満、かつ、適用されたペナルティのランクの累積値が所定の閾値未満である場合、ペナルティの適用が多発していないと判定し、ステップＳ１０３の処理はスキップされ、自動運転使用制限処理は終了する。
【０３０３】
例えば、運転者は、自動運転車両の使用期間が短く、自動運転に慣れていない場合、運転介在レベルを低下させずに、緊張感を持って、自動運転車両に乗車すると想定される。一方、自動運転車両の使用期間が長くなり、自動運転に慣れてくるに従い、緊張感が低下し、自動運転への依存度が高くなり、運転介在レベルが低下することが懸念される。
【０３０４】
これに対して、ペナルティの適用回数や適用されたペナルティのランクの累積値により、自動運転の使用を制限することで、ペナルティを適用されないようにする動機付けが運転者に働く。その結果、自動運転車両の使用期間が長くなっても、運転者の運転介在レベルの低下、及び、自動運転への依存が防止される。また、例えば、運転者が、運転中に適用されるペナルティに慣れて、ペナルティを無視して、意図的に運転介在レベルが低下した状態で自動運転を利用することが防止される。その結果、自動運転の短期間、中期間、又は、長期間のいずれの利用においても、運転者が自動運転に過度に依存することが防止され、安全性が向上する。
【０３０５】
また、ペナルティの適用の仕組みを複合的かつ階層的に整備することにより、各運転者があらゆる走行レベルで常に安全を意識する社会的な仕組みの構築が可能になる。そして、自動運転車とマニュアル運転車とが協調的に混在した車社会の創造が可能になる。
【０３０６】
＜＜２．変形例＞＞
以下、上述した本開示に係る技術の実施の形態の変形例について説明する。
【０３０７】
自動化レベルの分類は、上述した例に限定されるものではなく、他の基準に基づいて分類を適用することも可能である。
【０３０８】
また、運転者状態検出部１４２が、運転者の反応性及び覚醒度のうち一方を検出し、運転介在レベル検出部１４３が、運転者の反応性及び覚醒度のうち一方を用いて、運転介在レベルを検出するようにしてもよい。
【０３０９】
さらに、例えば、複数のペナルティを組み合わせて適用するようにしてもよい。また、例えば、運転者の反応性や覚醒度、ペナルティの適用回数や適用頻度等に応じて、適用するペナルティの組合せを変更するようにしてもよい。
【０３１０】
また、緊急時、危険回避、過疎地等において、緊急に車両で移動する必要がある場合が想定されるが、このような場合、運転中ペナルティを解除できるようにしてもよい。ただし、例えば、運転中ペナルティを解除したことがログに記録されるとともに、代わりに事後ペナルティが適用される。
【０３１１】
さらに、例えば、反応性や覚醒度が高いレベルで維持している運転者、注意喚起が必要な運転者、マニュアル運転への移行が安全かつスムーズな運転者等に対して、ご褒美に相当するインセンティブを付与するようにしてもよい。このインセンティブにより、ペナルティと同様に、運転介在レベルの低下を防止し、運転者が自動運転に過度に依存することを防止する効果が期待される。
【０３１２】
また、上述したペナルティやインセンティブは、ポイントとしてログのまま運用するようにしてもよい。また、それらのポイントのデータを解析し、レポートにして記録したり、出力したりするようにしてもよい。
【０３１３】
さらに、例えば、現行では存在しない税制であるが、自動運転対策促進税等の加点に、ログのポイントを反映させるようにしてもよい。
【０３１４】
また、例えば、車両制御システム１１が、ＳＬＡＭ（Simultaneous Localization and Mapping）等の技術を用いて、地図データを作成するようにしてもよい。
【０３１５】
本技術は、車両の動力源やエネルギー供給源に関わらず、少なくとも運転の一部を自動化することが可能な各種の車両に適用することができる。例えば、本技術は、ガソリン車、ハイブリッド車、プラグインハイブリッド車、電気自動車、燃料電池車等に適用することができる。また、本技術は、一般的な自動車以外にも、バス、トラック、自動二輪車等にも適用することができる。特に、本技術は、自律自動運転とマニュアル運転の切り替えが可能な各種の車両に適用した場合に効果が大きくなる。
【０３１６】
＜＜３．その他＞＞
＜コンピュータの構成例＞
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０３１７】
図１２は、上述した一連の処理をプログラムにより実行するコンピュータのハードウェアの構成例を示すブロック図である。
【０３１８】
コンピュータにおいて、CPU（Central Processing Unit）４０１，ROM（Read Only Memory）４０２，RAM（Random Access Memory）４０３は、バス４０４により相互に接続されている。
【０３１９】
バス４０４には、さらに、入出力インターフェース４０５が接続されている。入出力インターフェース４０５には、入力部４０６、出力部４０７、記録部４０８、通信部４０９、及びドライブ４１０が接続されている。
【０３２０】
入力部４０６は、入力スイッチ、ボタン、マイクロフォン、撮像素子などよりなる。出力部４０７は、ディスプレイ、スピーカなどよりなる。記録部４０８は、ハードディスクや不揮発性のメモリなどよりなる。通信部４０９は、ネットワークインターフェースなどよりなる。ドライブ４１０は、磁気ディスク、光ディスク、光磁気ディスク、又は半導体メモリなどのリムーバブル記録媒体４１１を駆動する。
【０３２１】
以上のように構成されるコンピュータでは、CPU４０１が、例えば、記録部４０８に記録されているプログラムを、入出力インターフェース４０５及びバス４０４を介して、RAM４０３にロードして実行することにより、上述した一連の処理が行われる。
【０３２２】
コンピュータ（CPU４０１）が実行するプログラムは、例えば、パッケージメディア等としてのリムーバブル記録媒体４１１に記録して提供することができる。また、プログラムは、ローカルエリアネットワーク、インターネット、デジタル衛星放送といった、有線または無線の伝送媒体を介して提供することができる。
【０３２３】
コンピュータでは、プログラムは、リムーバブル記録媒体４１１をドライブ４１０に装着することにより、入出力インターフェース４０５を介して、記録部４０８にインストールすることができる。また、プログラムは、有線または無線の伝送媒体を介して、通信部４０９で受信し、記録部４０８にインストールすることができる。その他、プログラムは、ROM４０２や記録部４０８に、あらかじめインストールしておくことができる。
【０３２４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３２５】
また、本技術の実施の形態は、上述した実施の形態に限定されるものではなく、本技術の要旨を逸脱しない範囲において種々の変更が可能である。
【０３２６】
例えば、本技術は、１つの機能をネットワークを介して複数の装置で分担、共同して処理するクラウドコンピューティングの構成をとることができる。
【０３２７】
また、上述のフローチャートで説明した各ステップは、１つの装置で実行する他、複数の装置で分担して実行することができる。
【０３２８】
さらに、１つのステップに複数の処理が含まれる場合には、その１つのステップに含まれる複数の処理は、１つの装置で実行する他、複数の装置で分担して実行することができる。
【０３２９】
＜構成の組み合わせ例＞
本技術は、以下のような構成をとることもできる。
【０３３０】
（１）
運転者が車両の運転に介在している度合いを示す運転介在レベルを検出する運転者監視部と、
前記運転介在レベルが不足している場合、前記運転者の不利益となるペナルティを適用するペナルティ適用部と
を備える車両制御装置。
（２）
前記ペナルティ適用部は、自動運転のレベルが、前記運転者が運転に介在しないレベルから介在するレベルに遷移する場合に、前記運転介在レベルが不足しているとき、前記ペナルティを適用する
前記（１）に記載の車両制御装置。
（３）
前記ペナルティを適用した後、前記運転介在レベルの不足が解消された場合、前記運転者が与えられた指示に適切に対応するまで、運転操作の制限を行う運転支援制御部を
さらに備える前記（２）に記載の車両制御装置。
（４）
前記ペナルティ適用部は、前記ペナルティを適用する前に前記運転者の注意を喚起する処理が行われた後も前記運転介在レベルが不足している場合、前記ペナルティを適用する
前記（１）乃至（３）のいずれかに記載の車両制御装置。
（５）
前記ペナルティ適用部は、前記運転介在レベルが不足している状態の発生回数及び発生頻度のうち少なくとも１つに基づいて、前記ペナルティを適用する
前記（１）乃至（４）のいずれかに記載の車両制御装置。
（６）
前記ペナルティ適用部は、前記ペナルティの適用が繰り返される場合、適用する前記ペナルティを変更する
前記（１）乃至（５）のいずれかに記載の車両制御装置。
（７）
前記ペナルティは、前記運転者に不快感を与えたり、前記運転者の利便性を低下させたりするものである
前記（１）乃至（６）のいずれかに記載の車両制御装置。
（８）
前記ペナルティは、運転席の背もたれを座面に対して垂直な方向に近づけることを含む
前記（７）に記載の車両制御装置。
（９）
前記ペナルティは、前記車両の上限速度を制限することを含む
前記（７）又は（８）に記載の車両制御装置。
（１０）
前記ペナルティは、前記車両の自動運転の機能を制限することを含む
前記（７）乃至（９）のいずれかに記載の車両制御装置。
（１１）
前記ペナルティは、前記運転者による運転の介在が必要なルートを通るように走行ルートを変更することを含む
前記（７）乃至（１０）のいずれかに記載の車両制御装置。
（１２）
前記ペナルティ適用部は、前記車両が目的地に到着した後、又は、前記車両が強制停車された後、前記ペナルティを適用する
前記（１）乃至（１１）のいずれかに記載の車両制御装置。
（１３）
前記ペナルティ適用部は、前記車両の発進を所定の期間禁止する
前記（１２）に記載の車両制御装置。
（１４）
前記ペナルティ適用部は、前記車両が目的地に到着した後、又は、前記車両が強制停車された後に適用する前記ペナルティに関する情報をログに記録させる
前記（１２）又は（１３）に記載の車両制御装置。
（１５）
前記運転者監視部は、自動運転のレベルにより異なる条件に基づいて、前記運転介在レベルが不足しているか否かを判定する
前記（１）乃至（１４）のいずれかに記載の車両制御装置。
（１６）
前記ペナルティ適用部は、前記運転介在レベルの不足が解消した場合、前記ペナルティの適用を停止する
前記（１）乃至（１５）のいずれかに記載の車両制御装置。
（１７）
前記運転者の反応性及び覚醒度のうち少なくとも１つを検出する運転者状態検出部を
さらに備え、
前記運転者監視部は、前記運転者の反応性及び覚醒度のうち少なくとも１つを用いて、前記運転介在レベルを検出する
前記（１）乃至（１６）のいずれかに記載の車両制御装置。
（１８）
前記運転者状態検出部は、前記運転者に与えた刺激又は指示に対する前記運転者の反応に基づいて、前記運転者の反応性及び覚醒度のうち少なくとも１つを検出する
前記（１７）に記載の車両制御装置。
（１９）
前記運転者状態検出部は、前記運転者が使用している情報処理装置を介して指示を与える
前記（１８）に記載の車両制御装置。
（２０）
運転者が車両の運転に介在しているレベルを示す運転介在レベルを検出する運転者監視ステップと、
前記運転介在レベルが不足している場合、前記運転者の不利益となるペナルティを適用するペナルティ適用ステップと
を含む車両制御方法。
【符号の説明】
【０３３１】
１０  自動運転システム，  １１  車両制御システム，  １２  携帯端末，  ２１  周辺撮影部，  ２２  周辺情報取得部，  ２３  位置測定部，  ２５  車両情報取得部，  ２６  運転者監視部，  ２７  通信部，  ２８  車両制御部，  ２９  表示部，  ３０  音声出力部，  ３１  発光部,  ３２  臭い発生部，  ３３  走行制御部，  ３４  車載装置制御部,  １０１  運転者撮影部，  １０２  生体情報取得部，  １０３  視線検出部，  １０４  認証部，  １２１  周辺監視部，  １２２  運転者監視部，  １２３  自動運転制御部，  １２４  通知制御部，  １２５  ペナルティ適用部,  １２６  ログ生成部，  １２７  学習部，  １４１  運転挙動分析部，  １４２  運転者状態検出部，  １４３  運転介在レベル検出部，  １５１  ルート設定部，  １５２  自動化レベル設定部，  １５３  運転支援制御部
【図１】
2018135318.tif 000003
【図２】
2018135318.tif 000004
【図３】
2018135318.tif 000005
【図４】
2018135318.tif 000006
【図５】
2018135318.tif 000007
【図６】
2018135318.tif 000008
【図７】
2018135318.tif 000009
【図８】
2018135318.tif 000010
【図９】
2018135318.tif 000011
【図１０】
2018135318.tif 000012
【図１１】
2018135318.tif 000013
【図１２】
2018135318.tif 000014
【国際調査報告】
2018135318.tif 000015
2018135318.tif 000016
2018135318.tif 000017
2018135318.tif 000018